(57)【要約】      （修正有）【課題】差し込み補助片の開く角度を制限して保護し、外部の力をうけて折れたり変形したりすることが起きにくい、保護機能を備え且つ便利で力もいらないプレス連動式コネクターヘッド差し込み補助片構造を提供する。【解決手段】コネクターヘッド１と、枢動台２０と前向連動圧板２１と後向圧板２２とからなる一組プレス連動式圧板構造２と、からなる。前記コネクターヘッドは、差し込み補助片１１と、配線ガイド溝１２を備え、コネクターヘッドの差し込み補助片に配置された後向位置面には、一組のプレス連動式圧板構造２が設けられる。枢動台２０には、前向連動圧板２１と後向圧板２２が枢設され、前向連動圧板は、枢動台の前向位置に枢設され、後向圧板は、枢動台の後向位置に枢設され、後向圧板の前端部は前向連動圧板の後端部２１２の下方に配置される。前記前向連動圧板は、差し込み補助片の上縁に常に当接した状態である【選択図】図１
0003181042.tif 000002
【実用新案登録請求の範囲】
【請求項１】
コネクターヘッドと、一組のプレス連動式圧板構造とからなる、プレス連動式コネクターヘッド差し込み補助片構造であって、
前記コネクターヘッドは、差し込み補助片と、配線ガイド溝を備え、
コネクターヘッドの差し込み補助片に配置された後向位置面には、前記プレス連動式圧板構造が設けられ、
前記プレス連動式圧板構造は、枢動台と、前向連動圧板と、後向圧板とからなり、
枢動台には、前向連動圧板と後向圧板が枢設され、前向連動圧板は、枢動台の前向位置に枢設され、後向圧板は、枢動台の後向位置に枢設され、後向圧板の前端部は前向連動圧板の後端部の下方に配置され、それによりプレス式の連動関係と状態を形成し、
前記前向連動圧板は、差し込み補助片の上縁に常に当接した状態であることを特徴とする、プレス連動式コネクターヘッド差し込み補助片構造。
【請求項２】
コネクターヘッド差し込み補助片は、弾力をもち開く特性を備えることを特徴とする、請求項１に記載のプレス連動式コネクターヘッド差し込み補助片構造。
【請求項３】
プレス連動式圧板構造の枢動台は、コネクターヘッドと一体成型されることを特徴とする、請求項１に記載のプレス連動式コネクターヘッド差し込み補助片構造。
【請求項４】
プレス連動式圧板構造の枢動台の前向位置と後向位置には枢孔或いは枢軸が設けられ、前向連動圧板と後向圧板にはそれに対応する枢軸或いは枢孔がそれぞれ設けられ、それにより、枢動台と、前向連動圧板及び後向圧板は相互に枢設されることを特徴とする、請求項１に記載のプレス連動式コネクターヘッド差し込み補助片構造。
【考案の詳細な説明】
【技術分野】
【０００１】
本考案はプレス連動式コネクターヘッド差し込み補助片構造に関する。
【背景技術】
【０００２】
図５に示すように、現在の電話線やインターネットケーブルにとりつけられたコネクターヘッドは、差し込み補助片Ａ１と、配線ガイド溝Ａ２と、ケーブルＡ３とからなる。その内、差し込み補助片Ａ１の構造と機能について説明する。コネクターヘッドの主な目的は、通信、パソコン、或いは、デジタル製品インターフェイスにはめ込むためであり、コネクターヘッドは弾力で開く特性と機能を備えているため、すばやく圧縮したり開く角度が変化したりすることにより、インターフェイスの連結箇所の溝内にはめ込むことができる。
【０００３】
この種のコネクターヘッドＡ１０は前述した構造と機能を備えるが、現状では、この種のコネクターヘッドＡ１０は基本構造の形態を変えることができないため、差し込み補助片Ａ１がヘッドＡ１０の最大の致命傷となっている。このため、長期にわたり、以下の問題と欠点が発生している。
【０００４】
１、従来のコネクターヘッドＡ１０の問題は、製品の包装、運送、使用のいずれの場合でも起こる可能性がある。不注意で、差し込み補助片Ａ１が変形したり折れて破損したりすることがあり、この損傷により、ヘッドＡ１０全体が機能しなくなりかなり大きなコストがかかることになる。もし、ヘッドＡ１０がケーブルとのワイヤーボンディングまで完成していたとしても、小さな差し込み補助片Ａ１の損傷により、ケーブルも一緒に無駄になることになり、必然的にかかるコストも大きなものになる。
【０００５】
２、従来のコネクターヘッドＡ１０が受けるはめ込み応力は完全に差し込み補助片Ａ１にかかるため、もし、差し込み補助片Ａ１が、適切でない外部の力を受けて曲がっていたり、或いは、大きな力で引っ張られていたりした時には、差し込み補助片Ａ１の弾性角度が大きすぎる、或いは小さすぎて、ヘッドＡ１０が抜けてしまう問題が発生することがある。したがって、その大きすぎる弾性角度の変化を制限させることが、保護する唯一の方法である。
【０００６】
３、従来のヘッドＡ１０を通信、パソコン、或いはデジタル製品インターフェイスの連結面の溝内に差し込むと、差し込み補助片Ａ１の押すことができる露出した長さは相当短く限られている。したがって、インターフェイスの連結面から外したい時に、差し込み補助片Ａ１を押すのは相当困難且つ面倒であり、差し込み補助片Ａ１が損傷したり、使用者の爪が傷ついたりするため、使用の安全上の問題がある。
【考案の概要】
【考案が解決しようとする課題】
【０００７】
そこで、本考案は、差し込み補助片の開く角度を制限して保護し、外部の力をうけて折れたり変形したりすることが起きにくい、保護機能を備え且つ便利で力もいらないプレス連動式コネクターヘッド差し込み補助片構造を提供することを目的とする。
【課題を解決するための手段】
【０００８】
本考案のプレス連動式コネクターヘッド差し込み補助片構造は、コネクターヘッドと、一組のプレス連動式圧板構造とからなる。その内、コネクターヘッドは、従来のものと同じであり、有るべき配線ガイド溝やケーブル等を備えた構造である。
【０００９】
本考案の特徴は、コネクターヘッドの上方に一体で設けられた差し込み補助片の後向位置に、一組のプレス連動式圧板構造を設け、前記プレス連動式圧板構造を利用する点にある。後向圧板を押すと、それに連動した前向連動圧板が下にプレスして、コネクターヘッド上方の差し込み補助片が押され、それにより、インターフェイスの連結面から素早く取りつけ取り外しする機能を達成することができる。
【図面の簡単な説明】
【００１０】
【図１】本考案の最も好ましい実施例の全体の外観を示した斜視図である。
【図２】本考案の構造を示した分解図である。
【図３】本考案の全体の構造を示した断面図である。
【図４】本考案を使用したときの連動性を示した説明図である。
【図５】従来のコネクターヘッドの外観を示した斜視図である。
【考案を実施するための形態】
【００１１】
まず、図１と図２に示すように、本案の構造は、主に、コネクターヘッド１と、一組のプレス連動式圧板構造２とからなる。その内、コネクターヘッド１は、従来の構造形態と同じであり、有るべき差し込み補助片１１及び配線ガイド溝１２を備えている。
【００１２】
本考案の特徴は、コネクターヘッド１における差し込み補助片１１の後向位置面に、一組のプレス連動式圧板構造２が設けられる、という点である。この一組のプレス連動式圧板構造の後向圧板２２を押せば、前向連動圧板２１がそれに連動して下にプレスし、それによりコネクターヘッド１上方の差し込み補助片１１も押され、インターフェイスの連結面に素早く取り外しする機能を達成することができる（図３、図４に図示）。
【００１３】
続けて、図２を参照する。プレス連動式圧板構造２は、主に、枢動台２０と、前向連動圧板２１と、後向圧板２２とからなる。その内、枢動台２０は、コネクターヘッド差し込み補助片１１の後向位置に配置されるとともに、コネクターヘッド１と一体成型される。また、前向連動圧板２１は、弧状の角度を呈する以外に、後方が延伸した後端部２１２と、両側が延伸した枢軸２１１を形成し、枢軸２１１は、枢動台２０の前向枢孔２０１に枢設される。後向圧板２２は、両側が延伸する枢軸２２１によって枢動台２０の後向枢孔２０２に枢設される。後向圧板２２の前方は、延伸して前端部２２２を形成し、後向圧板２２の前端部２２２は、前向連動圧板２１の後端部２１２の下方に配置される。それにより、連動性のプレスが構成され、後向圧板２２が押されると前向連動圧板２１が連動する関係と状態になる。
【００１４】
続けて、図３を参照する。図３では、コネクターヘッドの差し込み補助片１１とプレス連動式圧板構造２の両者の間の相対的な位置関係を説明している。前向連動圧板２１を枢動台２０に枢設すると、差し込み補助片１１の上縁面にちょうど当接する。同時に、差し込み補助片１１が持つ弾力で開く特性によって、前向連動圧板２１が持ち上がり、差し込み補助片１１が持つ弾力持ち上げ作用によって、前向連動圧板２１は後向圧板２２をプレスし、それにより、後向圧板２２は常に起き上った状態になる。そして、この起き上った状態により、前向連動圧板２１と差し込み補助片１１の間に、距離の差があるのと、後向圧板２２間の係止作用により、差し込み補助片１１が開く角度が制限される。この制限された開く角度と差し込み補助片１１が開く角度は同じである。従って、前向連動圧板２１と後向圧板２２に、自ら位置を固定する能力を備えさせることができ、しかも、差し込み補助片１１とは常に当接した状態になる。
【００１５】
コネクターヘッド１を、通信器材、パソコン、或いは、デジタル製品の接続インターフェイスに差し込んだ時、嵌めこみの作用点は、従来と同じく、コネクターの差し込み補助片１１上にある。コネクターヘッド１を抜きたい時は、後向圧板２２を押せば、前向連動圧板２１も連動し、下への圧力が直接下方の対応する差し込み補助片１１にかかり、それにより、差し込み補助片１１がその開く角度が少なくなり、接続インターフェイスから取り外すことができる。このようにして、素早く、便利に、且つ力がいらずに取り外す機能を達成することができる（図４に図示）。
【符号の説明】
【００１６】
１        コネクターヘッド
１１      差し込み補助片
１２      配線ガイド溝
２        プレス連動式圧板構造
２０      枢動台
２０１    前向枢孔
２０２    後向枢孔
２１      前向連動圧板
２１１    枢軸
２１２    後端部
２２      後向圧板
２２１    枢軸
２２２    前端部
【図１】
0003181042.tif 000003
【図２】
0003181042.tif 000004
【図３】
0003181042.tif 000005
【図４】
0003181042.tif 000006
【図５】
0003181042.tif 000007